(57)【要約】      （修正有）【課題】カメラ内部の光学部品表面に強く付着している塵埃などの汚れを容易に除去することができる光学部品清掃ユニットおよび清掃機能付きカメラを提供すること。【解決手段】光学部品２４が内蔵されたカメラ本体４のレンズ装着部２８に取り付け可能なマウント部３８と、マウント部３８がレンズ装着部２８に取り付けられた状態で、光学部品２４の表面の塵埃を除去する塵埃除去部材３０と、塵埃除去部材３０の近傍に配置され、光学部品２４の表面に存在する静電気を除去する静電気除去部材４０と、を有する光学部品清掃ユニットである。【選択図】図１
2008096538.tif 000002
【特許請求の範囲】
【請求項１】
光学部品が内蔵されたカメラ本体のレンズ装着部に取り付け可能なマウント部と、
前記マウント部が前記レンズ装着部に取り付けられた状態で、前記光学部品の表面の塵埃を除去する塵埃除去部材と、
前記塵埃除去部材の近傍に配置され、前記光学部品の表面に存在する静電気を除去する静電気除去部材と、を有する光学部品清掃ユニット。
【請求項２】
前記マウント部が前記レンズ装着部に取り付けられた状態で、前記光学部品清掃ユニット内の前記塵埃除去部材と前記静電気除去部材とが、前記カメラ本体の内部に移動して前記光学部品の表面に接触するように制御される請求項１に記載の光学部品清掃ユニット。
【請求項３】
前記塵埃除去部材が、前記光学部品の表面に接触し、転がり動作、拭き取り動作あるいは剥ぎ取り動作により、前記表面の塵埃を除去する請求項１または２に記載の光学部品清掃ユニット。
【請求項４】
前記塵埃除去部材が前記光学部品の表面の塵埃除去動作を行う後に、前記静電気除去部材が前記光学部品の表面の静電気除去動作を行うように制御される請求項１〜３のいずれかに記載の光学部品清掃ユニット。
【請求項５】
前記光学部品清掃ユニットが前記カメラ本体のレンズ装着部に取り付けられたことを検出する検出手段と、
前記検出手段で前記光学部品清掃ユニットの取付を検出した場合に、前記光学部品の表面の前方に位置するシャッタ部材を開くための開信号を出力すると共に、前記塵埃除去部材および静電気除去部材を前記光学部品の表面に向けて前進させるための信号を出力する制御手段とをさらに有する請求項１〜４のいずれかに記載の光学部品清掃ユニット。
【請求項６】
前記レンズ装着部をシールドするシールド部をさらに有する請求項１〜5のいずれかに記載の光学部品清掃ユニット。
【請求項７】
前記静電気除去部材は、前記塵埃除去部材よりも長いことを特徴とする請求項１〜６のいずれかに記載の光学部品清掃ユニット。
【請求項８】
光学部品の表面に接触し、前記表面の塵埃を除去する塵埃除去部材と、
前記塵埃除去部材と共に配置され、前記光学部品の表面に存在する静電気を除去する静電気除去部材と、を有する清掃機能付きカメラ。
【請求項９】
前記塵埃除去部材および静電気除去部材は、通常動作時には、撮像用光の通路を妨げない位置に移動し、清掃モード時には、前記光学部品の表面に移動するように制御される請求項８に記載の清掃機能付きカメラ。
【発明の詳細な説明】
【技術分野】
【０００１】
本発明は、光学部品清掃ユニットおよび清掃機能付きカメラに関する。
【背景技術】
【０００２】
たとえばデジタルカメラにおいては、撮像素子の受光面、撮像素子保護用カバーガラスの表面、光学ローパスフィルタの表面など、撮像面から近距離にある光学部品の表面に付着した塵埃は、その付着部分が黒い点となって撮像画像に写り込み、画像品質を低下させ問題となる。
【０００３】
特に、いわゆる一眼レフデジタルカメラにおいては、レンズ交換時に外部からの塵埃がカメラ内部の光学部品に付着したり、レリーズ動作時のクイックリターンミラーの駆動により発生した塵埃が付着する場合があり、撮影上の大きな問題となることがある。
【０００４】
このような塵埃の問題を解消するために、特許文献１では、カメラの内部にワイパー部材を具備させ、ローパスフィルタなどの光学部品の表面をワイパー部材で拭くように構成したカメラが提案されている。また、特許文献２では、特定のフィルタを振動子で加振することにより、塵埃を除去する構造が提案されている。
【０００５】
しかしながら、フィルタなどの光学部品を単に振動させたのみでは、その光学部品の表面に強く付着している塵埃などの汚れを取り除くことは困難である。また、フィルタなどの光学部品の表面を単にワイパー部材により拭くのみでは、ワイパー部材による拭き取り直後に発生する静電気により、清掃後の光学部品の表面が帯電し、塵埃を引き寄せ、塵埃の再付着が生じることがある。
【特許文献１】特開２００１−２９８６４０号公報
【特許文献２】特開２００２−２０４３７９号公報
【発明の開示】
【発明が解決しようとする課題】
【０００６】
本発明は、このような実状に鑑みてなされ、その課題は、カメラ内部の光学部品表面に強く付着している塵埃などの汚れを容易に除去することができる光学部品清掃ユニットおよび清掃機能付きカメラを提供することである。本発明のもう一つの課題は、汚れの除去後に塵埃の再付着を有効に防止することができる光学部品清掃ユニットおよび清掃機能付きカメラを提供することである。
【課題を解決するための手段】
【０００７】
上記課題を解決するために、本発明に係る光学部品清掃ユニットは、
光学部品が内蔵されたカメラ本体のレンズ装着部に取り付け可能なマウント部と、
前記マウント部が前記レンズ装着部に取り付けられた状態で、前記光学部品の表面の塵埃を除去する塵埃除去部材と、
前記塵埃除去部材の近傍に配置され、前記光学部品の表面に存在する静電気を除去する静電気除去部材と、を有する。
【０００８】
本発明に係る光学部品清掃ユニットでは、塵埃除去部材が光学部品の表面に接触し、表面の拭き取り動作を行う。そのため、振動子による振動のみで塵埃を除去する方式に比較して、強く付着している塵埃などの汚れであっても、容易に除去される。
【０００９】
しかも本発明では、塵埃除去部材の近傍には静電気除去部材が配置され、塵埃除去部材により塵埃を除去した後の光学部品の表面に、静電気除去部材が接触する。そのため、塵埃除去部材による拭き取り直後に光学部品の表面に発生する静電気は、静電気除去部材により除去され、その表面が塵埃を引き寄せることはなくなり、塵埃の再付着を有効に防止することができる。
【００１０】
また本発明に係る光学部品清掃ユニットでは、カメラ本体の内部には、清掃用の振動子や清掃用の塵埃除去部材を設ける必要が無く、塵埃除去部材および静電気除去部材は、カメラのレンズ装着部に着脱自在に装着される光学部品清掃ユニット内に設けられる。そのため、カメラ本体のコンパクト化および軽量化を図ることができる。清掃が必要な場合には、交換レンズの代わりに、本発明に係る光学部品清掃ユニットをカメラ本体に取り付ければよく、その作業も容易である。
【００１１】
好ましくは、前記マウント部が前記レンズ装着部に取り付けられた状態で、前記光学部品清掃ユニット内の前記塵埃除去部材と前記静電気除去部材とが、前記カメラ本体の内部に移動して前記光学部品の表面に接触するように制御される。前記光学部品清掃ユニット内の前記塵埃除去部材と前記静電気除去部材との移動は、マニュアル式でも自動であっても良い。
【００１２】
好ましくは、前記塵埃除去部材が、前記光学部品の表面に接触し、転がり動作、拭き取り動作あるいは剥ぎ取り動作により、前記表面の塵埃を除去する。本発明では、塵埃除去部材の塵埃除去動作は、特に限定されないが、上記のような動作を行わせることで、効率よく塵埃を除去することができる。本発明では、静電気除去部材により静電気を除去するため、静電気が発生しやすいが、塵埃除去作用が強い動作を選択することが可能であり、強い汚れでも除去することができる。
【００１３】
好ましくは、前記塵埃除去部材が前記光学部品の表面の塵埃除去動作を行う後に、前記静電気除去部材が前記光学部品の表面の静電気除去動作を行うように制御される。塵埃除去部材が光学部品の表面の塵埃除去動作を行う前に静電気を除去しても良いが、特に、塵埃除去部材が光学部品の表面の塵埃除去動作を行う後に、光学部品の表面に静電気が発生しがちなので、このように制御することが好ましい。
【００１４】
好ましくは、本発明に係る光学部品清掃ユニットは、
前記光学部品清掃ユニットが前記カメラ本体のレンズ装着部に取り付けられたことを検出する検出手段と、
前記検出手段で前記光学部品清掃ユニットの取付を検出した場合に、前記光学部品の表面の前方に位置するシャッタ部材を開くための開信号を出力すると共に、前記塵埃除去部材および静電気除去部材を前記光学部品の表面に向けて前進させるための信号を出力する制御手段とをさらに有する。
【００１５】
このように構成することで、カメラ本体に光学部品清掃ユニットの取付を自動的に検出することが可能になる。しかも、その場合には、光学部品の表面の前方に位置するシャッタ部材を自動的に開き、塵埃除去部材を光学部品の表面に向けて自動的に前進させることができる。したがって、手動で行う動作が少なくなり、誰にでも容易にカメラ内の光学部品の清掃作業を行うことが可能になる。
【００１６】
好ましくは、本発明に係る光学部品清掃ユニットは、前記レンズ装着部をシールドするシールド部をさらに有する。このような構成にすることで、清掃作業中においても、シールド部により、カメラ内に塵埃が入り込むことを有効に防止することができる。
【００１７】
好ましくは、前記静電気除去部材は、前記塵埃除去部材よりも長い。このような構成にすることで、塵埃除去部材により塵埃を除去した部分よりも広い範囲で、静電気を除去することができるので、塵埃の再付着をさらに有効に防止することができる。
【００１８】
本発明に係る清掃機能付きカメラは、
光学部品の表面に接触し、前記表面の塵埃を除去する塵埃除去部材と、
前記塵埃除去部材と共に配置され、前記光学部品の表面に存在する静電気を除去する静電気除去部材と、を有する。
【００１９】
この発明に係る清掃機能付きカメラでは、カメラ本体の内部に、塵埃除去部材と静電気除去部材とを具備させるために、それらを具備しないものに比較して重量が増大するが、光学部品清掃ユニットを取り付けることなく、カメラ内部の清掃が可能である。
【００２０】
好ましくは、前記塵埃除去部材および静電気除去部材は、通常動作時には、撮像用光の通路を妨げない位置に移動し、清掃モード時には、前記光学部品の表面に移動するように制御される。このような構造にすることで、撮像性能を落とすことなく、カメラ本体の内部における光学部品表面の清掃が容易になる。
【発明を実施するための最良の形態】
【００２１】
以下、本発明を、図面に示す実施形態に基づき説明する。
図１は本発明の一実施形態に係る光学部品清掃ユニットをカメラボディに取り付けた状態を示す概略図、
図２Ａは図１に示す光学部品清掃ユニットの概略断面図、
図２Ｂは図２Ａに示す塵埃除去部材と静電気除去部材の長さ関係を示す説明図、
図３は図２に示す光学部品清掃ユニットの矢視図、
図４は本発明の他の実施形態に係る光学部品清掃ユニットをカメラボディに取り付けた状態を示す概略図、
図５は本発明の実施形態に係る清掃機能付きカメラの概略断面図である。
第１実施形態
【００２２】
図１に示すように、本発明の一実施形態では、カメラ内清掃システム２は、カメラボディ４と、光学部品清掃ユニット６とを有する。光学部品清掃ユニット６は、カメラボディ４のレンズマウント２８に対して着脱自在に係合するボディマウント３８を有する。ボディマウント３８は、レンズマウント２８をシールドするシールド部を兼ねており、光学部品清掃ユニット６がカメラボディ４に装着された状態で、ユニット６のケーシング３５に形成してある開口部３７と、カメラボディ４のケーシング５に形成してある開口部７とはシールされて連通される。
【００２３】
カメラボディ４のケーシング５内部には、接眼レンズ８、ペンタプリズム１０、ファインダスクリーン１２などのファインダ用光学部品と、撮像ユニット２０を構成する撮像素子２２の前面に配置してある光学ローパスフィルタ２４などで構成される撮像用光学部品とが具備してある。撮像ユニット２０の背面には、回路基板２６が配置してある。回路基板２６には、撮像ユニット２０の撮像素子２２にて受光した画像信号を処理する回路などが組み込まれている。
【００２４】
光学ローパスフィルタ２４の前面には、シャッタ部材１６が装着してある。図１では、シャッタ部材１６が開いている。シャッタ部材１６の前面には、クイックリターンミラー１４が配置してある。クイックリターンミラー１４は、カメラボディ４のファインダからの覗きモードと、撮像素子２２へ撮影光を導く撮影モードとを切り替えるための光学部品である。
【００２５】
図２Ａに示すように、カメラボディ４から取り外された状態では、光学部品清掃ユニット６の内部には、塵埃除去部材３０が引き込まれた状態で収容してある。引き込まれた状態の塵埃除去部材３０は、ユニット６のケーシング３５の開口部３７から外部に飛び出ないようになっている。
【００２６】
塵埃除去部材３０の先端には、ワイパーローラ３１が装着してある。ワイパーローラ３１の長手方向長さＬ１（図２Ｂ参照）は、図２Ｂに示す光学ローパスフィルタ２４の幅Ｗ０と同程度以上であることが好ましい。ワイパーローラ３１は、たとえばゴム材、発泡樹脂などで構成してあり、洗浄液が塗布してあっても良い。
【００２７】
図１および図２Ａに示すように、塵埃除去部材３０の近傍には、静電気除去部材４０が配置してある。静電気除去部材４０の先端には、静電気除去ブラシ４１が装着してある。静電気除去ブラシ４１の長手方向長さＬ２（図２Ｂ参照）は、ワイパーローラ３１の長手方向長さＬ１と同程度以上であることが好ましい。静電気除去ブラシ４１は、導電性ゴム材、導電性発泡樹脂などで構成してある。
【００２８】
ブラシ４１には、アース線４２が接続してあり、ブラシ４１が接触する光学ローパスフィルタ２４の表面から静電気を除去し、アース線４２を通して外部に静電気を逃がすようになっている。
【００２９】
静電気除去ブラシ４１は、連結部材４４を介して、ワイパーロッド３２に連結してある。ワイパーロッド３２の後端は、図３に示すように、ケーシング３５の円盤状底面に形成してある直線状スライド孔４５から外部に露出し、スライド孔４５に沿って移動自在になっている。スライド孔４５の両側には、スライド孔４５を通してケーシング３５の内部にゴミなどの塵埃が入り込むことを防止するためのシール部材４６が装着してある。シール部材４６は、たとえば柔軟性のあるゴムシートなどで構成される。
【００３０】
本実施形態では、アース線４２の後端も、ケーシング３５のスライド孔４５から外部に露出してあり、外部アース接続が可能になっている。なお、アース線４２は、必ずしもスライド孔４５を通して外部に引き出す必要はなく、ケーシング３５に形成されたスライド孔４５以外の孔から引き出しても良い。あるいは、アース線４２は、ケーシング３５の内部に装着された接続端子に接続しておき、その接続端子の外部接点から別のアース線を引き出し、外部アース接続を行っても良い。
【００３１】
ワイパーロッド３２の後端を操作者が手で把持し、スライド孔４５に沿って移動させることで、ワイパーロッド３２は、連結部材４４を介して静電気除去ブラシ４１を、ワイパーローラ３１と共に、光学ローパスフィルタ２４の表面に沿って図１および図２Ｂに示す矢印Ａ方向に移動させることができる。
【００３２】
図１に示す清掃状態では、ロッド３２は、清掃ユニット６のケーシング３５に対して矢印Ｂ方向に最大限に前進している位置にあり、ワイパーローラ３１および静電気除去ブラシ４１が、光学ローパスフィルタ２４の表面に同時に接触している状態である。
【００３３】
なお、ワイパーロッド３２の後端側には、ストッパ３３が装着してあり、ロッド３２の所定の前進移動位置で、ストッパ３３がスライド孔４５に係合し、それ以上前進移動ができないようになっている。そのため、ワイパーローラ３１および静電気除去ブラシ４１が、光学ローパスフィルタ２４の表面を必要以上に押圧することを有効に防止できる。ストッパ３３は、ロッド３２に対して軸方向移動自在に装着してあってもよく、ロッド３２には、ユニット６が装着されるカメラボディ２の機種名に合わせたストッパ固定位置が表示してあっても良い。
【００３４】
なお、ロッド３２の矢印ＢおよびＡ方向の移動は、手動で行うこともできるが、自動で行わせることも可能である。たとえばロッド３２の後端に駆動源を連結しても良い。駆動源は、たとえば圧力シリンダあるいはモータなどで構成される。
【００３５】
カメラボディ４またはユニット６には、ユニット６がカメラボディ４に装着されたことを検出する制御回路５０が内蔵してある。制御回路５０をカメラボディ４に内蔵する場合には、制御回路５０は、たとえば回路基板２６の内部に組み込まれる。以下の説明では、制御回路５０が回路基板２６に組み込まれているとして説明する。
【００３６】
制御回路５０は、ユニット６におけるボディマウント３８がカメラボディ４のレンズマウント２８に対して正規位置に装着された場合に、その取付信号を、制御回路５０に送信するようになっている。制御回路５０は、カメラボディ４内部のシャッタ部材１６、クイックリターンミラー１４に接続してある。
【００３７】
図２Ａに示すように、ユニット６がカメラボディ４に取り付けられる前の状態では、ロッド３２はケーシング３５に対して最大限に引き込まれた状態である。その状態では、ユニット６のケーシング３５に形成してある開口部３７のボディマウント３８には、カバーが取り付けられ、内部の防塵性を保持するようにしてあっても良い。
【００３８】
ユニット６をカメラボディ４に取り付ける前には、塵埃除去部材３０のワイパーローラ３１には、たとえば洗浄液を塗布しても良い。その後、図１に示すように、ユニット６をカメラボディ４に取り付けると、図１に示す制御回路５０が、ボディマウント３８とレンズマウント２８との接続を検出する。
【００３９】
その検出信号に基づき、制御回路５０は、シャッタ部材１６とクイックリターンミラー２８に駆動信号を送り、図１に示すように、シャッタ部材１６を開かせると共に、クイックリターンミラー１４を回動駆動させ、ユニット６からの塵埃除去部材３０の侵入を許可する。
【００４０】
ロッド３２を自動的に移動させるタイプでは、次に、制御回路５０は、駆動源に制御信号を送り、ロッド３２を前進移動させる。ロッド３２の前進移動は、塵埃除去部材３０のワイパーローラ３１および静電気除去ブラシ４１が光学ローパスフィルタ２４の表面に接触する位置で停止するように制御される。
【００４１】
その後に、制御回路５０は、駆動源に制御信号を送り、塵埃除去部材３０および静電気除去部材４０をスライド孔４５に沿って矢印Ａ方向に移動させる。その結果、ヘッド３１は、フィルタ２４の全表面を接触しながら移動し、ワイパー動作方式で、フィルタ２４の表面の拭き取り清掃を行う。同時に、静電気除去ブラシ４１は、ローラ３１によるフィルタ２４の表面の拭き取り清掃により生じた静電気を除去する。
【００４２】
スライド孔４５に沿う塵埃除去部材３０および静電気除去部材４０の移動は、１回に限らず、複数回の移動でも良い。フィルタ２４の表面の清掃が終了した後には、制御回路５０は、前述した動作と逆の動作を行わせて、初期状態に戻す。なお、制御回路５０は、クイックリターンミラー１４およびシャッタ１６の制御のみを行ってもよく、その場合には、ロッド３２の移動は、手動で行う。
【００４３】
本実施形態に係るカメラ内清掃システム２では、ローラ３１がフィルタ２４の表面に接触し、表面の拭き取り動作を行う。そのため、振動子による振動のみで塵埃を除去する方式に比較して、強く付着している塵埃などの汚れであっても、容易に除去される。
【００４４】
しかも本実施形態では、ローラ３１の近傍には静電気除去ブラシ４１が配置され、ローラ３１により塵埃を除去した後のフィルタ２４の表面に、静電気除去ブラシ４１が接触する。そのため、ローラ３１による拭き取り直後にフィルタ２４の表面に発生する静電気は、静電気除去ブラシ４１により除去され、その表面が塵埃を引き寄せることはなくなり、塵埃の再付着を有効に防止することができる。
【００４５】
また本実施形態に係る光学部品清掃ユニット６では、カメラボディ４の内部には、清掃用の振動子や清掃用の塵埃除去部材を設ける必要が無い。そのため、カメラボディ４のコンパクト化および軽量化を図ることができる。清掃が必要な場合には、交換レンズの代わりに、本実施形態に係る光学部品清掃ユニット６をカメラボディ４に取り付ければよく、その作業も容易である。
第２実施形態
【００４６】
図４に示す実施形態のカメラ内清掃システム２ａでは、光学部品清掃ユニット６ａの塵埃除去部材３０ａにおけるワイパーロッド３２ａの先端に、清掃用粘着テープ３１ａが具備してある。粘着テープ３１ａは、フィルタ２４の表面に貼着されて引き剥がされることにより、フィルタ２４の表面の塵埃などの汚れを除去することができるようになっている。
【００４７】
粘着テープ３１ａを有する塵埃除去部材３０ａの近傍には、静電気除去部材４０ａが配置してある。静電気除去部材４０ａにおける駆動ロッド４４ａの先端には、前述した第１実施形態と同様な静電気除去ブラシ４１ａが具備してある。
【００４８】
本実施形態では、ワイパーロッド３２および駆動ロッド４４ａは、連動して矢印Ａ方向に移動するように構成してあるが、粘着テープ３１ａをフィルタ２４の表面から引き剥がす方向に移動させるために、ワイパーロッド３２のみは、駆動ロッド４４ａに対して矢印Ｂ方向に相対移動させ、結果として、矢印Ｃ方向の斜め移動を可能にする必要がある。
【００４９】
そこで、本実施形態では、ワイパーロッド３２および駆動ロッド４４ａは、連動して矢印Ａ方向に移動するが、ワイパーロッド３２のみは、矢印Ｃ方向に斜め移動するように、ガイド４８がケーシング３５に具備してある。本実施形態では、粘着テープ３１ａの拭き取り動作あるいは剥ぎ取り動作により、フィルタ２４の表面の塵埃を除去する作用を有する。本実施形態におけるその他の構成および作用効果は、前記第１実施形態の場合と同様である。
第３実施形態
【００５０】
図５に示すように、本実施形態に係る清掃機能付きカメラ４ａでは、光学ローパスフィルタ２４の前面に、拭き取りユニット６０を具備させた点が、図１に示すカメラボディ４と異なる。
【００５１】
拭き取りユニット６０は、フィルタ２４の前方であって、シャッタ部材１６の後側に配置される塵埃除去部材３０ｂを有する。塵埃除去部材３０ｂの先端部には、ワイパーローラが具備してある。ワイパーローラは、図１に示すワイパーローラ３１と同様な構成である。
【００５２】
また、本実施形態では、塵埃除去部材３０ｂの近傍には、静電気除去部材４０ｂが装着してある。静電気除去部材４０ｂの先端部には、静電気除去ブラシが具備してある。静電気除去ブラシは、図１に示す静電気除去ブラシ４１と同様な構成である。
【００５３】
塵埃除去部材３０ｂおよび静電気除去部材４０ｂの両端部は、一対の駆動ベルト６２の所定位置に固定してあり、ベルト６２が駆動ローラ６４と従動ローラ６５との間でベルト送りされる時に、ベルト６２に沿って塵埃除去部材３０ｂおよび静電気除去部材４０ｂが移動するようになっている。駆動ローラ６４は、たとえばモータにより回転駆動制御される。駆動ローラ６４が回転すると、一対のベルト３２も同期して移動し、塵埃除去部材３０ｂおよび静電気除去部材４０ｂを矢印Ａ方向にベルト送りさせる。
【００５４】
その結果、塵埃除去部材３０ｂおよび静電気除去部材４０ｂは、光学ローパスフィルタ２４の表面を接触しながら移動し、フィルタ２４の全面を拭き取りつつ、静電気を除去する。一回目の全面拭き取りが終了した後には、モータを逆回転させることで、塵埃除去部材３０ｂおよび静電気除去部材４０ｂを矢印Ａと反対方向に移動させ、２回目の拭き取り動作を行わせることもできる。
【００５５】
あるいは、一回目の全面拭き取りが終了した後には、モータを同じ方向に回転させ続けることで、塵埃除去部材３０ｂおよび静電気除去部材４０ｂがベルト６２に沿ってループ状に移動し、図５に示す位置に戻り、２回目以降の拭き取り動作を行わせることもできる。
【００５６】
本実施形態では、静電気除去部材４０ｂには、アース線４２が直接または間接的に接続してある。ブラシに対して間接的にアース線４２を接続するには、たとえば導電性ブラシに対してベルト６２と、いずれかのローラ６４，６５とを導電性材料で構成し、これらを導通状態とし、いずれかのローラ６４，６５に対してアース線４２を接続すればよい。
【００５７】
本実施形態に係る清掃機能付きカメラ４ａでは、カメラボディ４ａの内部に、塵埃除去部材３０ａと静電気除去部材４０ａとを具備させるために、それらを具備しないものに比較して重量が増大するが、光学部品清掃ユニットを取り付けることなく、カメラ内部の清掃が可能である。
【００５８】
また、塵埃除去部材３０ａおよび静電気除去部材４０ａは、通常動作時には、撮像用光の通路を妨げない位置に移動し、清掃モード時には、フィルタ２４の表面に移動するように制御される。このような構造にすることで、撮像性能を落とすことなく、カメラボディ４ａの内部におけるフィルタ２４の表面の清掃が容易になる。本実施形態におけるその他の構成および作用効果は、前記第１実施形態の場合と同様である。
【００５９】
なお、本発明は、上述した実施形態に限定されるものではなく、本発明の範囲内で種々に改変することができる。
たとえば、本発明において、清掃の対象となる光学部品としては、ローパスフィルタ以外に、その他のフィルタ、透明板などであっても良い。
【００６０】
また、本発明では、塵埃除去部材としては、ローラ３１や粘着テープ３１ａに限定されず、その他の動作により塵埃を除去する部材であっても良い。本発明では、静電気除去部材により静電気を除去するため、静電気が発生しやすいが、塵埃除去作用が強い動作を選択することが可能であり、強い汚れでも除去することができる。
【００６１】
また、本発明では、静電気除去部材としては、静電気除去ブラシ４１，４１ａに限らず、導電性材料で構成されたローラ、パッドなどのその他の静電気除去部材が用いられる。
【００６２】
さらに上述した実施形態では、塵埃除去部材と静電気除去部材とを別々に構成したが、本発明では、塵埃除去部材と静電気除去部材とを一体化しても良い。たとえば塵埃除去ブラシを、導電性材料で構成し、しかもそのブラシにアース線を接続することで、塵埃除去部材と静電気除去部材とを一体化することも可能である。ただし、本発明では、塵埃除去部材と静電気除去部材とを別々に構成した方が、それぞれの役割にもっとも適合する部材を選択することができ、強い汚れを除去しながら塵埃の再付着を防止することができる。
【００６３】
また、本発明に係る光学部品清掃ユニットは、一眼レフカメラなどのカメラボディに限らず、レンズ鏡筒が着脱自在に装着されるその他のカメラボディに取り付けても良い。また、本発明に係る清掃機能付きカメラは、一眼レフカメラなどのカメラに限らず、コンパクトカメラ、ビデオカメラなどのその他のカメラにも適用することができる。
【図面の簡単な説明】
【００６４】
【図１】図１は本発明の一実施形態に係る光学部品清掃ユニットをカメラボディに取り付けた状態を示す概略図である。
【図２Ａ】図２Ａは図１に示す光学部品清掃ユニットの概略断面図である。
【図２Ｂ】図２Ｂは図２Ａに示す塵埃除去部材と静電気除去部材の長さ関係を示す説明図である。
【図３】図３は図２に示す光学部品清掃ユニットの矢視図である。
【図４】図４は本発明の他の実施形態に係る光学部品清掃ユニットをカメラボディに取り付けた状態を示す概略図である。
【図５】図５は本発明の実施形態に係る清掃機能付きカメラの概略断面図である。
【符号の説明】
【００６５】
２，２ａ…  カメラ内清掃システム
４…  カメラボディ
４ａ…  清掃機能付きカメラ
６，６ａ…  光学部品清掃ユニット
１４…  クイックリターンミラー
１６…  シャッタ部材
２０…  撮像ユニット
２２…  撮像素子
２４…  光学ローパスフィルタ
２８…  レンズマウント
３０，３０ａ，３０ｂ…  塵埃除去部材
３１…  ワイパーローラ
３１ａ…  粘着テープ
３２，３２ａ…  ワイパーロッド
３８…  ボディマウント
４０，４０ａ，４０ｂ…  静電気除去部材
４１，４１ａ…  静電気除去ブラシ
４２…  アース線
４４…  連結部材
４４ａ…  駆動ロッド
４５…  スライド孔
５０…  制御回路
６０…  拭き取りユニット
【図１】
2008096538.tif 000003
【図２Ａ】
2008096538.tif 000004
【図２Ｂ】
2008096538.tif 000005
【図３】
2008096538.tif 000006
【図４】
2008096538.tif 000007
【図５】
2008096538.tif 000008